(57)【要約】【課題】露光工程に厳密な時間管理を必要とせず、露光時間に微細な差異が生じても、印刷結果においてドットゲインの大小が変化したり、色の濃淡に差異が生じる等の問題が生じる恐れがなく、かつ、印刷工程で樹脂版と版画紙が密着する等の問題が生じない版画用版の製作方法を提供する。【解決手段】ガンマ値の低い感光性樹脂版の上に描画フィルムを密接した状態で第１回露光を太陽光あるいは露光機で行い、次に描画フィルムを取り除いた後にスクリーントーンフィルムを当該感光性樹脂版の上に密接した状態で第２回露光を太陽光あるいは露光機で行い、続いて、スクリーントーンフィルムを取り除き、当該感光性樹脂の表面を十分にこすりつつ水洗いし、さらに続いて、水切りを行い、最後に、当該感光性樹脂の表面に熱風を吹き付けて乾燥させ、版面を硬化することを特徴とする版画用版の製作方法である。【選択図】図８
2007093687.tif 000002
【特許請求の範囲】
【請求項１】
ガンマ値が低い感光性樹脂版の上に描画フィルムを密接した状態で第１回露光を太陽光あるいは露光機で行い、次に描画フィルムを取り除いた後にスクリーントーンフィルムを当該感光性樹脂版の上に密接した状態で第２回露光を太陽光あるいは露光機で行い、続いて、スクリーントーンフィルムを取り除き、当該感光性樹脂の表面を十分に摩擦するように水洗いし、さらに続いて水切りを行い、最後に、当該感光性樹脂の表面に熱風を吹き付けて乾燥させ、版面を硬化すること、を特徴とする版画用版の製作方法。
【請求項２】
ガンマ値の低い感光性樹脂版がポリビニルアルコール系感光性樹脂版である請求項１に記載の版画用版の製作方法。
【請求項３】
描画フィルムがデジタルカメラやデジタルビデオにより撮影されたデジタル画像を用いて作成されることを特徴とする請求項１または２に記載の版画用版の製作方法。
【請求項４】
請求項３に記載のデジタル画像をパーソナルコンピュータを使用してデジタル画像処理した後に、静電複写機を用い、あるいは、インクジェットプリンタを用い、あるいは写真リスフィルムを用いて、描画フィルムが作成される版画用版の制作方法。
【発明の詳細な説明】
【技術分野】
【０００１】
本発明は版画用樹脂版または版画用版の製作方法に関する。
【背景技術】
【０００２】
従来の版画用版の製作方法として、特願２００４−８７４２７に記載された技術を例示することができる。（図９乃至１１参照）
【特許文献１】特願２００４―８７４２７  版画用製版においては、基板の上に、感光層を積層してなる水現像タイプのトレリーフ「感光性凸版材」を感光させずに所望寸法に裁断する版準備工程と、感光性凸版材の上に、そのカバーフィルムを剥がさずに、コンタクトスクリーン・フィルムを、感光性凸版材の版面に密着するように、真空密着した後に、１分間以上露光する１回目露光工程と、コンタクトスクリーン・フィルムを取り除き、原稿を、その描画面が「感光性凸版材」の版面に密着するように、真空密着した後に、所定時間露光する２回目露光工程と、２回目露光工程の後に、原稿を取り除き、カバーフィルムを剥がし、水を溜めた容器に感光性凸版材を入れ、柔らかいブラシを用いて１分間版面を擦り、次に柔らかいスポンジローラーを用いて版画の水きりを行った後に、温風を５分間当てて乾燥し、続いて、版面に５分以上露光を行って版画を硬化させる現像工程と、からなる版画用凹版の制作方法が知られている。
【０００３】
さらに、版画用製版においては、基板の上に、感光層を積層してなる水現象タイプのプリントタイト「感光性樹脂凸版」を感光せずに所望寸法に裁断する版準備工程と、感光性凸版材の上に、そのカバーフィルムを剥がさずに、コンタクトスクリーン・フィルムを、感光性凸版材の版面に密着するように、真空密着した後に、１分間以上露光する１回目露光工程と、コンタクトスクリーン・フィルムを取り除き、原稿を、その描画面が「感光性凸版材」の版面に密着するように、真空密着した後に、所定時間露光する２回目露光工程と、２回目露光工程の後に、原稿を取り除き、カバーフィルムを剥がし、水を溜めた容器に「感光性凸版材」を入れ、柔らかいブラシを用いて１分間版面を擦り、次に柔らかいスポンジローラーを用いて版画の水切りを行った後に、温風を５分間当てて乾燥し、続いて、版面に５分以上露光をおこなって版画を硬化させる現像工程と、からなる版画用凹版の製作方法が知られている。
【発明の開示】
【発明が解決しようとする課題】
【０００４】
図８は、感光性樹脂版についての反応率と光照射量との関係を示すグラフである。曲線Ａは、中間部分の傾きが急な、ガンマ値の高い材質を示す。曲線Ｂは、中間部分の傾きが曲線Ａよりも緩やかな、ガンマ値が中程度の材質を示す。曲線Ｃは、中間部分の傾きが、曲線Ａ及びＢよりも緩やかな、ガンマ値の低い材質を示す。
【０００５】
上記版画用版の製作においては、感光性ナイロン樹脂層を積層する感光性樹脂凸版材（東レ「トレリーフ」ＰＧプレート（水現像タイプ）及び、東洋紡・水現像ナイロン系感光性樹脂凸版「プリントタイト」）を用いていた。当該水現像ナイロン系感光性樹脂凸版は、光照射量と反応率で構成するガンマ値が高いことを特徴とする。ガンマ値が高い樹脂層は、被膜層により酸素の侵入を防ぎ、迅速で効率の良い硬化を実現させることができる。
【０００６】
しかし、ガンマ値の高い樹脂層によれば、樹脂層が露光時に光重合により硬化する速度が早すぎて露光を終える機を逸し、製版に失敗することが多くみられた。即ち、前記感光性樹脂版を使用した場合には、露光工程の厳密な管理を要する、印刷結果に生じるドットゲインの大小が変化する、色の濃淡に差異が生じる等の問題があった。なお、専用の紫外線露光機を用いれば、露光時間を精度良く管理でき、上記の問題は生じないが、露光機は高価であり、操作が難しいので、小中学校授業用教材には適さないという問題がある。
【０００７】
他方、ポリビニルアルコール系感光性樹脂版（ＮＡＰＰ  Ｓｙｓｔｅｍｓ，Ｉｎｃ製「ＮＡＰＰ：Ｎ―５」）を用いた場合は、前記ナイロン系樹脂層よりもガンマ値が低く、硬化速度が緩やかである。描画フィルムを挟み込んだ一度目の露光で硬化しはじめ、完全に硬化しきらない中間的な硬化状態を作り出す露光時間の幅がナイロン系樹脂層よりも大きい。従ってポリビニルアルコール系感光性樹脂版によれば厳密な露光時間の管理の必要性は問題とならない。
【０００８】
しかし、当該樹脂版に積層されるポリビニルアルコール成分は、吸湿性が高く、印刷工程で版画紙に密着して剥がれにくい等の問題がある。
【０００９】
さらに、前述の従来技術（特願２００４―８７４２７）によれば、２回目露光工程終了後、版面を、柔らかいブラシを用いて１分程擦った後、柔らかいスポンジローラーを用いて版の水切りを行う必要があった。従来のスポンジローラーには、高価な大量印刷用版材製作のための製版機の部品を用いていたため、版画用版の製作工程に経済的な負担であった。
【００１０】
本発明の目的は、露光工程に厳密な時間管理を必要としない版画用版の製作方法を提供することである。露光を終える機を逸した場合でも、印刷結果に生じるドットゲインの大小が変化する、色の濃淡に差異が生じる等の問題が生じる恐れがなく、かつ、印刷工程で樹脂版と版画紙が密着する等の問題が生じない版画用版の製作方法を提供することである。
【００１１】
さらに本発明の目的は、２回目露光工程終了後、柔らかいスポンジローラーを使用して行う版面の水切り工程を省いた版画用版の製作方法を提供することである。版面の硬度や作品の完成度に影響を来たすことなく、版画用版製作に要する経済的な負担を軽減することである。
【課題を解決するための手段】
【００１２】
上記目的は、光照射量と反応率で構成するガンマ値の低い感光性樹脂版を用いて、第２回露光工程終了後、毛先の柔らかいブラシや指先で、版面を摩擦するように水洗いする工程と、版の水切りを行った後に表面に付着した水滴をスポンジで吸い取る工程と、ヘアードライヤーの熱風で加熱乾燥し、版を硬化させる工程を含むことを特徴とする版画用版の製作方法によって達成することができる。
【発明の効果】
【００１３】
本発明における版画用版の製作方法は、ポリナイロン系感光性樹脂版よりも、ガンマ値の低いポリビニルアルコール系感光性樹脂版を用いることを特徴とする。本発明のポリビニルアルコール系感光性樹脂版によれば、ガンマ値の高い感光性樹脂版を使用した場合に生じる露光工程の厳密な時間管理の負担を解消することができる。また、本発明によれば、露光を終える機を逸した場合でも、印刷結果においてドットゲインの大小が変化する、色の濃淡に差異が生じる、印刷工程で樹脂版と版画紙が密着する等の問題も生じない。
【００１４】
本発明の製作方法によれば、２回目露光工程終了後、柔らかいスポンジローラーを使用して行う版面の水切り工程を省くことができる。従来の高価なスポンジローラーに代えて、スポンジを用いて版面の硬度や作品の完成度に影響を来たすことなく、版画用版製作に要する経済的な負担を軽減することである。
【００１５】
本発明により、製作者が原画に表現した構図やモチーフを忠実に版画としての表現形態に表すことが可能となる。絵画的な構図と時間軸上に展開する版画表現を、一定の蓋然性を以って作品とすることができる。
本発明によれば、新しい方法や材料を追求し、主題の選択や表現を多様化する試みの中で、創意溢れる新たな芸術方向を追求することができる。実施例に後述するように、戸外の動植物のモチーフを取り込んだ、自然観察に基づく作品、自然素材（鉱物、動物、植物）、日常的な工業素材を題材とする環境的表現、ＣＧで作成した精度の高い画像や写真映像を表現したフォトリアリズム的な作品等、幅広い題材を作品主題とし、外部社会と芸術との融合の可能性を広げることが可能となる。
【発明を実施するための最良の形態】
【００１６】
図１はＰＥＴフィルムに絵を描いた原画平面図である。紫外線を透過する薄い透明のＰＥＴフィルム１に絵柄２を描く。描画フィルムは、描画支持体として基本的に紫外線を透過する薄いものであればその素材を問わないが、使い易さと耐久性から考えれば、ダイヤマットとレキサン・フィルムを使用するのが望ましい。両フィルム共に、表面は砂目状に加工されており、ダイヤマットの方が細かく、レキサンの方が粗い形状になっている。そのためダイヤマットは繊細な調子のドローイングに適しており、一方レキサンは減り張りがあり切れ味のあるドローイングに適している。
【００１７】
描画材料は、支持体に定着し露光時に乾燥していれば、紫外線を遮断する殆どの描画材料が使用可能である。露光後の現像作業で光の当たらなかった部分が擦り取られて感光層が露出する。感光層自体は、インクが付着するので描画部分となる。従って、紫外線を通しやすいマジックインキ等の油性ペンは、製版を失敗する可能性がある。
【００１８】
小中学校の図画工作や美術の授業で教材として用いる場合には、一般的な画材、水彩用絵の具、クレヨン、鉛筆等を使用できる。全体構成の精度や視覚効果を高めるために、原画に陰影３をつけて濃淡を表現したり、ＰＥＴフィルムの表面を砂や薬品で処理し、絵の具等の描画材のグラデーションが表現しやすくなっているものを使用してもよい。
【００１９】
図２は第１回の露光状態を示す斜視図である。前記描画フィルムを感光性樹脂版の上に密着するようにのせた状態で、太陽光あるいは露光機で第１回露光を行う。感光性樹脂版には、ＮＡＰＰ  Ｓｙｓｔｅｍｓ，Ｉｎｃ製「ＮＡＰＰ：Ｎ―５」、及び「ＮＡＰＰ：ｄｅｃｏ」を用いる。
【００２０】
「ＮＡＰＰ：Ｎ―５」は、前述の東レ「トレリーフ」ＰＧプレート（水現像タイプ）、及び東洋紡・水現像ナイロン系感光性樹脂版「プリントタイト」に比較して、ガンマ値が低く、ポリビニルアルコールを３０―６０Ｗ％積層する感光性樹脂版である。
【００２１】
「ＮＡＰＰ：ｄｅｃｏ」は、「ＮＡＰＰ：Ｎ―５」よりもガンマ値を高くし、版の樹脂が紙に付着しにくい性質に改良された素材である。「ＮＡＰＰ：Ｎ―５」に比較してガンマ値が高く、東レ「トレリーフ」ＰＧプレート（水現像タイプ）、及び東洋紡・水現像ナイロン系感光性樹脂版「プリントタイト」に比較してガンマ値が低い、ポリビニルアルコール素材の感光性樹脂版である。なお、露光機にて設定した時間を守れば、ガンマ値の高いナイロン系感光性樹脂版を用いることもできる。ガンマ値という硬化の性質の違いを把握すれば、前述の東レ「トレリーフ」ＰＧプレート、東洋紡・水現像ナイロン系感光性樹脂版「プリントタイト」と共に、異なる４種の感光性樹脂版を版画教材として容易に扱うことが可能になる。
【００２２】
暗室で感光性樹脂版５を袋から取り出す。自然光や照明器具の下では版が感光し、光重合により硬化する恐れがあるため、暗室に移動して版に覆いをかけて、外光を完全に遮断して行うのが望ましい。次に、露光器４を上下置き換え、裏面４ａの上に密着して感光性樹脂版５を載せる。続いて感光性樹脂版の上に密着するように、ＰＥＴフィルム１を重ねる。さらに続いて透明な蓋体６を上から覆うように被せる。その後、第１回露光を行う。露光は露光機で行う方法と、太陽光で行う方法の二通りの方法がある。
【００２３】
露光機を用いる場合、機種はプリンタータイプ、小型の持ち運び可能な露光機いずれを用いてもよい。機種毎に光源が様々で、各々放出する紫外線の周波数が異なる。そのため、紫外線の周波数のうち、樹脂の硬化に有効な紫外線域が版ごとに設定されている。露光時間の長さは、この紫外線域の有効な紫外線の量や強さによって決まる。
【００２４】
ガンマ値の低い版材を用いた場合の露光時間は、版によって硬化する時間の幅があるため、第１回露光時間は１分間を目安とし、露光条件により調整する。露光を終える機を逸し、露光時間を微細に前後しても失敗する確立は低い。
ガンマ値が高い版材を用いる場合には、露光機によって露光時間を精度良く管理する必要がある。実施に係るガンマ値の高い版材の露光環境を表１に示す。
【表１】
2007093687.tif 000003
【００２５】
露光機の多くは、フィルムと版との密着度を高めるために吸引圧着を行う。光を当てる側のガラスと、フィルムと版を抑えるためのゴムのシートに挟み込むため、酸素が遮断され、硬化速度が速まる。安定した環境条件の下、一定の時間設定ができる。
【００２６】
太陽光で露光する場合には、簡易露光器を用いて行う。簡易露光器がない場合には、紫外線を透し易いガラス、薄いスポンジ板、堅めのボードの順で四方を大きめのクリップで止めて作成して露光する。簡易露光器は、高価な露光機を所有しない学校等教育機関や文化教室、家庭での製作時等に、日中の太陽光での露光に適している。
【００２７】
版面の上にフィルムを密着させるように上に重ね、簡易露光器のガラスとスポンジ等の板に挟みこんだ状態で露光する。簡易露光器で露光する場合には、フィルムと版との間に酸素が入りやすく、季節や時間帯、天候、気温等の高低により、製作環境は不安定になることがある。従って、状況を読み取り、露光時間を加減する必要がある。目安として、晴天時の屋外の日当たりの良い場所で１分間行う。尚、雨天時は雨水が版面に付くと製版が失敗しやすく、露光機による露光が望ましい。晴天時でも日没後は露光機を用いて露光を行う。
【００２８】
露光工程においては、ポリビニルアルコール系感光性樹脂版の感光層が反応し、光重合によって硬化する。露光時に光の当たらなかった部分の樹脂層が水で洗い流され、深さに差異のある凹凸が形成される。この差異が凸版では見られない細やかなグラデーションを作り出し、刷り上りの最終的なイメージを決定づける。深いところは濃く（黒インクなら黒）、浅いところは薄く（黒インクなら明度の高いグレー）なる。感光性樹脂版５の描画部分２が、最終的に凹版となる。
【００２９】
透明のＰＥＴフィルムに原画を描く代わりに、糸７や半透明のトンボの羽８等を感光性樹脂版の上に密着するように載せて露光してもよい。戸外の自然物を主題とし、自然観察に基づく素朴な版画版を製作することができる。その他の応用事例として、ガラス細工されたオブジェやレンズ等を用い、光を屈折させて、光の強弱によってできる明暗で、イメージを表現することができる。又、デジタルカメラで撮影した被写体をパソコンで加工し、ＰＥＴフィルムに、インクジェットプリントや静電複写機を用いて印刷したり、リスで焼いた写真等精度の高い原画を版画作品に取り入れることもできる。
【００３０】
第１回露光工程終了後、暗室に移動して露光器の蓋体６を取り外し、ＰＥＴフィルム１を取り除く。次に、感光性樹脂版５の上に密接するように、スクリーントーンフィルム９を載せる。その次に透明な蓋体６を上から覆うように被せる。
【００３１】
図３は第２回の露光状態を示す斜視図である。図３に示すように、感光性樹脂版５、スクリーントーンフィルム９、蓋体６の順に密着させた状態で、第２回露光を行う。第２回露光も、第１回露光と同様に、太陽光を用いて行う方法と、露光機で行う方法の二通りがある。
【００３２】
露光機を用いる場合は、露光時間は、機種毎に設定される紫外線の周波数のうち、樹脂の硬化に有効な紫外線域の有効な紫外線の量や強さによって決まる。
ガンマ値の低い版材を用いた場合の露光時間は、版によって硬化する時間の幅があるため、第２回露光時間は３分間を目安とし、露光条件により３〜４分の間で調整する。露光を終える機を逸し、露光時間を微細に前後しても失敗する確立は低い。
【００３３】
ガンマ値が高い版材を用いる場合には、露光機によって露光時間を精度良く管理する必要がある。実施に係るガンマ値が高い版材の第２回露光時間は、表１の通り３分間である。
【００３４】
太陽光を用いて行う場合は、季節や時間帯、天候、気温等の高低により、製作環境は不安定になる。そのため、状況を読み取り、露光時間を加減する必要があるが、目安として晴天時の屋外の日当たりの良い場所で４分間行う。
【００３５】
第２回露光工程終了後、暗室に移動して露光器４の蓋体６を外し、感光性樹脂版５を取り出す。手袋をはめ、水を溜めた容器に感光性樹脂版を入れ、毛先の柔らかいブラシや指先で、版面を摩擦するように１分程擦る。次に、スポンジを用いて版の水切りを行う。版の水切りは、吸水性の高い、市販のスポンジ（セルロース素材）で表面を軽く拭き取る程度で良い。続いて、ヘアードライヤーの熱風を１０分間当てて加熱乾燥させ、版面を硬化させる。
【００３６】
図４は絵柄部分を面上の凹部とする樹脂版の版画版の斜視図である。加熱乾燥させた版を、更に硬化させるために後露光を３０分間行う。後露光も第１回露光及び第２回露光と同様、太陽光又は露光機のいずれの方法で行ってもよい。後露光工程により樹脂層を完全硬化させ、図４に示すような絵柄部分を版面上の凹部１０とする樹脂版の版画版を製作する。
【００３７】
前述の通り、第１回及び第２回露光工程終了後に感光性樹脂版の版面を摩擦するように水洗いする工程、表面に付着した水滴をスポンジで吸い取る水きり工程と、ヘアードライヤーの熱風による加熱乾燥工程と、後露光工程とを、所定時間充分に行うことにより、ガンマ値の低いポリビニルアルコール系樹脂版を用いて、印刷工程でポリビニルアルコールが吸湿し、版画紙が感光性樹脂版に密着する、完成後の作品の表面が剥がれる等の問題を生じることなく版画用版を製作することができる。
【００３８】
図５は版にインクを載せる工程例を図示したものである。絵柄部分を面状の凹部とした、樹脂版の凹部１０に、図５に示すようにインク用もりへら１２を用いてインクパレット１３からインク１１を付着させ、樹脂版全体にインク１１を行渡らせる。次に、キットに入っている寒冷紗若しくは不織布（不図示）で、凹部にインクを残すように樹脂版表面のインクを拭き上げる。続いて、インクの拭き取りムラをなくすように紙で拭き取り仕上げる。
【００３９】
図６はプレス機に通過させる印刷工程例を図示したものである。樹脂版５、版画紙１５、フェルト１６の順に密着するように重ねてプレス機１４を通し、圧力を加えて凹部１０のインク１１を版画紙１５に転写する。
本願発明に係る凹版の印刷には、凹版用エッチイングプレス機の他、平版用リトグラフ用プレス機を用いることができる。３〜１０万円程度の安価なプレス機でも印刷することができる。
【００４０】
本願に係る感光性樹脂版は、従前の金属板（銅版やジンク板）で用いられていたプレス圧よりも低い圧力で、細かい線や点を明瞭に印刷することができる。
樹脂版の柔軟性ある性質から、スプーン等の硬質な曲面を持ち、点で圧力をかけられるプレス機であれば、手の力でも十分に凹部のインクを紙に押し出すことができる。
【００４１】
図７は刷り上った作品を図示したものである。凹部１０に残ったインクが版画紙１５に完全に転写されると、図７に示すような版画作品１７が完成する。版画作品の左下部にエディション番号１８ａ、中央にタイトル１８ｂ、右下部に名前やサイン１８ｃを記載することにより版画作品１７として完成する。
【産業上の利用可能性】
【００４２】
小中学校及び高等学校における、図画工作および美術の授業の教材として本願発明を広く用いることができる。本願発明によれば、児童・生徒は簡単な作業で質及び精度の高い版画を製作することができる。作業効率及び質感の向上の観点から、児童・生徒のみならず教師の教育指導にも大きく寄与する。
【００４３】
感光性樹脂素材によれば、人体や環境に有害な素材を用いることなく版画用版を製作することができる。児童・生徒は、従来エッチイングの版画用版製作に用いた腐食液や揮発性有機溶剤等に手を触れることなく、安心して版画製作に取り組むことができる。
【００４４】
文部科学省が扱う「ゆとり教育」政策に基づき、公立の小・中学校及び高等学校では、新学習指導要領に基づく教育、及び完全週休二日制を、平成１４年４月から開始させている。これにより小中学校及び高等学校における履修科目のうち図画工作及び美術の割当時間数が削減され、生徒の版画製作の機会が減少している。本発明は、短い授業時間内での教材としても適している。生徒が伝達手段としての版画の価値に触れる機会を損なうことなく、版画による創作表現の機会を確保することができる。
【００４５】
また、本発明に係る版画用版の原画には、デジタルカメラで撮影した写真や、コンピュータを駆使したＣＧ画像を選択できる。即ち、本発明は図画工作及び美術の学習指導要領において「映像メディア表現」に関連した教材として利用できる。さらに、本発明は、小学校３年生４年生の日光に関る単元や中学校の第一分野の科学的な事物／現象や光と音に関る単元にも教材として活用できる。
【図面の簡単な説明】
【００４６】
【図１】ＰＥＴフィルムに絵を描いた原画平面図
【図２】発明の実施形態における第１回の露光状態を示す斜視図
【図３】発明の実施形態における第２回の露光状態を示す斜視図
【図４】絵柄部分を面上の凹部とする樹脂版の版画版の斜視図
【図５】凹部にインクを付着させた状態を示す斜視図
【図６】ブレス機に通過させ、版画紙に転写する状態を示す斜視図
【図７】刷り上り状態（作品）の平面図
【図８】反応率と光照射量との関係を示すグラフ
【図９】従来技術における、水なし平版の構造を示す概略図
【図１０】従来技術における、水現像タイプの感光性樹脂凸版の構造を示す概略図
【図１１】従来技術における、水現像タイプナイロン系感光性樹脂凸版の構造を示す概略図
【符号の説明】
【００４７】
１・・・・・・・・ＰＥＴフィルム
２・・・・・・・・絵柄
３・・・・・・・・陰影部分
４・・・・・・・・露光器本体
４ａ・・・・・・・露光器裏面
４ｂ・・・・・・・露光器左側面
４ｃ・・・・・・・露光器前面
５・・・・・・・・感光性樹脂版
６・・・・・・・・露光器蓋体
７・・・・・・・・糸
８・・・・・・・・トンボの羽
９・・・・・・・・スクリーンフィルム
９ａ・・・・・・・ドットの集合面
１０・・・・・・・凹部
１１・・・・・・・インク
１２・・・・・・・インク用もりへら
１３・・・・・・・インク用パレット
１４・・・・・・・プレス機
１５・・・・・・・版画紙
１６・・・・・・・フェルト
１７・・・・・・・版画作品
１８ａ・・・・・・エディション番号
１８ｂ・・・・・・タイトル
１８ｃ・・・・・・名前又はサイン
１９・・・・・・・カバーフィルム
１９ａ・・・・・・カバーフィルム
２０・・・・・・・シリコーンゴム層
２１・・・・・・・感光層
２２・・・・・・・プライマー層
２３・・・・・・・アルミ基板
２４・・・・・・・感光性ナイロン樹脂層
２５・・・・・・・インキ受容層
２６・・・・・・・接着・ハレーション防止層
２７・・・・・・・スチール板
２８・・・・・・・粘着防止層
【図１】
2007093687.tif 000004
【図２】
2007093687.tif 000005
【図３】
2007093687.tif 000006
【図４】
2007093687.tif 000007
【図５】
2007093687.tif 000008
【図６】
2007093687.tif 000009
【図７】
2007093687.tif 000010
【図８】
2007093687.tif 000011
【図９】
2007093687.tif 000012
【図１０】
2007093687.tif 000013
【図１１】
2007093687.tif 000014